(57)【要約】【課題】ワイヤレス・ネットワークにおけて改良された協調マルチポイント（ＣｏＭＰ）セット決定のための方法及びシステムを提供する。【解決手段】ＣｏＭＰセット決定システムは、サービス基地局に関連付けられた各ユーザ機器に対して隣接基地局のデフォルトＣｏＭＰセットを識別し、選択されたユーザ機器に対して選択されたユーザ機器と隣接基地局との間の距離に基づいて隣接基地局候補のセットを識別し、１つ以上のワイヤレス通信パラメータに基づいて選択されたユーザ機器に対して隣接基地局の中間ＣｏＭＰセットを識別し、隣接基地局のＣｏＭＰセットを選択し、隣接基地局の選択されたＣｏＭＰセットをＣｏＭＰ通信用に選択されたユーザ機器に対しての最終ＣｏＭＰセットとして設定する。【選択図】図４Ａ
2017103740.tif 000002
【特許請求の範囲】
【請求項１】
ハードウェア・プロセッサと、
メモリであって、
前記ハードウェア・プロセッサを介して、サービス基地局についてのサービス基地局情報及び前記サービス基地局の複数の隣接基地局についての隣接基地局情報を取得し、
前記ハードウェア・プロセッサを介して、前記隣接基地局情報及び前記サービス基地局情報に基づき、初期協調マルチポイント地域を決定し、
前記ハードウェア・プロセッサを介して、前記サービス基地局に関連付けられた各ユーザ機器に対して、隣接基地局のデフォルト協調マルチポイントセットを識別し、
前記ハードウェア・プロセッサを介して、前記ユーザ機器のスループット、並びに
前記ユーザ機器の絶対位置、及び
前記サービス基地局に対する前記ユーザ機器の位置
の少なくとも一方に基づき、協調マルチポイントセット決定のために、前記サービス基地局に関連付けられた前記ユーザ機器の１つを候補として選択し、
前記ハードウェア・プロセッサを介して、前記選択されたユーザ機器に対して、前記選択されたユーザ機器と隣接基地局との間の距離に基づき、隣接基地局候補のセットを識別し、
前記ハードウェア・プロセッサを介して、１つ又は複数のワイヤレス通信パラメータに基づき、前記選択されたユーザ機器に対して、隣接基地局の中間協調マルチポイントセットを識別し、
前記ハードウェア・プロセッサを介して、前記選択されたユーザ機器に対しての隣接基地局の前記デフォルト協調マルチポイントセットを、隣接基地局の前記中間協調マルチポイントセットで置き換えるかどうかを選択し、
前記ハードウェア・プロセッサを介して、隣接基地局の前記選択された協調マルチポイントセットを、協調マルチポイント通信用に、前記選択されたユーザ機器に対しての最終協調マルチポイントセットとして設定する
ための、前記ハードウェア・プロセッサによって実行可能な命令を記憶するメモリと
を含む、協調マルチポイントセット決定システム。
【請求項２】
前記メモリが更に、
前記ハードウェア・プロセッサを介して、同一の最終協調マルチポイントセットを持つユーザ機器の数に基づき、前記初期協調マルチポイント地域から協調マルチポイント地域を調節する
ための命令を記憶する、請求項１に記載のシステム。
【請求項３】
前記メモリが更に、
前記ハードウェア・プロセッサを介して、前記選択されたユーザ機器に対して、協調マルチポイント通信用に、協調スケジューリング又はジョイント伝送を利用するかどうかを決定し、
前記決定された協調スケジューリング又はジョイント伝送を使用することにより、前記選択されたユーザ機器にデータ・パケットを伝送する
ための命令を記憶する、請求項１に記載のシステム。
【請求項４】
前記初期協調マルチポイント地域の決定が、
前記ハードウェア・プロセッサを介して、前記サービス基地局と、前記サービス基地局の前記複数の隣接基地局との重複カバレッジ・エリアを決定する
ことを含む、請求項１に記載のシステム。
【請求項５】
前記サービス基地局に対する前記ユーザ機器の前記位置が、測定報告から取得された受信信号強度を使用して決定される、請求項１に記載のシステム。
【請求項６】
前記選択されたユーザ機器に対しての隣接基地局の前記中間協調マルチポイントセットが、以下のワイヤレス通信パラメータ、即ち、
ランダム・アクセス・チャネルについての物理リソース再送率、
無線リンク障害率、
チャネル品質、及び
ハイブリッド自動再送要求についての物理リソース再送率
のうちの少なくとも１つ又は複数を使用して識別される、請求項１に記載のシステム。
【請求項７】
前記選択されたユーザ機器に対しての隣接基地局の前記デフォルト協調マルチポイントセットを隣接基地局の前記中間協調マルチポイントセットで置き換えるかどうかの選択が、
前記ハードウェア・プロセッサを介して、隣接基地局の前記中間協調マルチポイントセットを使用する前記選択されたユーザ機器のスループットと、隣接基地局の前記デフォルト協調マルチポイントセットを使用する前記選択されたユーザ機器のスループットとを比較する
ことを含む、請求項１に記載のシステム。
【請求項８】
サービス基地局についてのサービス基地局情報及び前記サービス基地局の複数の隣接基地局についての隣接基地局情報を取得するステップと、
前記隣接基地局情報及び前記サービス基地局情報に基づき、初期協調マルチポイント地域を決定するステップと、
前記サービス基地局に関連付けられた各ユーザ機器に対して、隣接基地局のデフォルト協調マルチポイントセットを識別するステップと、
前記ユーザ機器のスループット、並びに
前記ユーザ機器の絶対位置、及び
前記サービス基地局に対する前記ユーザ機器の位置
の少なくとも一方に基づき、協調マルチポイントセット決定のために、前記サービス基地局に関連付けられた前記ユーザ機器の１つを候補として選択するステップと、
前記選択されたユーザ機器に対して、前記選択されたユーザ機器と隣接基地局との間の距離に基づき、隣接基地局候補のセットを識別するステップと、
１つ又は複数のワイヤレス通信パラメータに基づき、前記選択されたユーザ機器に対して、隣接基地局の中間協調マルチポイントセットを識別するステップと、
前記選択されたユーザ機器に対しての隣接基地局の前記デフォルト協調マルチポイントセットを、隣接基地局の前記中間協調マルチポイントセットで置き換えるかどうかを選択するステップと、
隣接基地局の前記選択された協調マルチポイントセットを、協調マルチポイント通信用に、前記選択されたユーザ機器に対しての最終協調マルチポイントセットとして設定するステップと
を含む、協調マルチポイントセット決定方法。
【請求項９】
同一の最終協調マルチポイントセットを持つユーザ機器の数に基づき、前記初期協調マルチポイント地域から協調マルチポイント地域を調節するステップ
を更に含む、請求項８に記載の方法。
【請求項１０】
前記選択されたユーザ機器に対して、協調マルチポイント通信用に、協調スケジューリング又はジョイント伝送を利用するかどうかを決定するステップと、
前記決定された協調スケジューリング又はジョイント伝送を使用することにより、前記選択されたユーザ機器にデータ・パケットを伝送するステップと
を更に含む、請求項８に記載の方法。
【請求項１１】
前記初期協調マルチポイント地域を決定するステップが、
前記サービス基地局と、前記サービス基地局の前記複数の隣接基地局との重複カバレッジ・エリアを決定するステップ
を含む、請求項８に記載の方法。
【請求項１２】
前記サービス基地局に対する前記ユーザ機器の前記位置が、測定報告から取得された受信信号強度を使用して決定される、請求項８に記載の方法。
【請求項１３】
前記選択されたユーザ機器に対しての隣接基地局の前記中間協調マルチポイントセットが、以下のワイヤレス通信パラメータ、即ち、
ランダム・アクセス・チャネルについての物理リソース再送率、
無線リンク障害率、
チャネル品質、及び
ハイブリッド自動再送要求についての物理リソース再送率
のうちの少なくとも１つ又は複数を使用して識別される、請求項８に記載の方法。
【請求項１４】
前記選択されたユーザ機器に対しての隣接基地局の前記デフォルト協調マルチポイントセットを隣接基地局の前記中間協調マルチポイントセットで置き換えるかどうかを選択するステップが、
隣接基地局の前記中間協調マルチポイントセットを使用する前記選択されたユーザ機器のスループットと、隣接基地局の前記デフォルト協調マルチポイントセットを使用する前記選択されたユーザ機器のスループットとを比較するステップ
を含む、請求項８に記載の方法。
【請求項１５】
コンピュータによって実行されたときに、前記コンピュータに協調マルチポイントセット決定方法を実行させるプログラムを記憶する非一時的コンピュータ可読記憶媒体であって、前記方法が、
サービス基地局についてのサービス基地局情報及び前記サービス基地局の複数の隣接基地局についての隣接基地局情報を取得するステップと、
前記隣接基地局情報及び前記サービス基地局情報に基づき、初期協調マルチポイント地域を決定するステップと、
前記サービス基地局に関連付けられた各ユーザ機器に対して、隣接基地局のデフォルト協調マルチポイントセットを識別するステップと、
前記ユーザ機器のスループット、並びに
前記ユーザ機器の絶対位置、及び
前記サービス基地局に対する前記ユーザ機器の位置
の少なくとも一方に基づき、協調マルチポイントセット決定のために、前記サービス基地局に関連付けられた前記ユーザ機器の１つを候補として選択するステップと、
前記選択されたユーザ機器に対して、前記選択されたユーザ機器と隣接基地局との間の距離に基づき、隣接基地局候補のセットを識別するステップと、
１つ又は複数のワイヤレス通信パラメータに基づき、前記選択されたユーザ機器に対して、隣接基地局の中間協調マルチポイントセットを識別するステップと、
前記選択されたユーザ機器に対して隣接基地局の前記デフォルト協調マルチポイントセットを、隣接基地局の前記中間協調マルチポイントセットで置き換えるかどうかを選択するステップと、
隣接基地局の前記選択された協調マルチポイントセットを、協調マルチポイント通信用に、前記選択されたユーザ機器に対しての最終協調マルチポイントセットとして設定するステップと
を含む、非一時的コンピュータ可読記憶媒体。
【請求項１６】
同一の最終協調マルチポイントセットを持つユーザ機器の数に基づき、前記初期協調マルチポイント地域から協調マルチポイント地域を調節するステップ
を更に含む、請求項１５に記載の媒体。
【請求項１７】
前記選択されたユーザ機器に対して、協調マルチポイント通信用に、協調スケジューリング又はジョイント伝送を利用するかどうかを決定するステップと、
前記決定された協調スケジューリング又はジョイント伝送を使用することにより、前記選択されたユーザ機器にデータ・パケットを伝送するステップと
を更に含む、請求項１５に記載の媒体。
【請求項１８】
前記初期協調マルチポイント地域を決定するステップが、
前記サービス基地局と、前記サービス基地局の前記複数の隣接基地局との重複カバレッジ・エリアを決定するステップ
を含む、請求項１５に記載の媒体。
【請求項１９】
前記サービス基地局に対する前記ユーザ機器の前記位置が、測定報告から取得された受信信号強度を使用して決定される、請求項１５に記載の媒体。
【請求項２０】
前記選択されたユーザ機器に対しての隣接基地局の前記中間協調マルチポイントセットが、以下のワイヤレス通信パラメータ、即ち、
ランダム・アクセス・チャネルについての物理リソース再送率、
無線リンク障害率、
チャネル品質、及び
ハイブリッド自動再送要求についての物理リソース再送率
のうちの少なくとも１つ又は複数を使用して識別される、請求項１５に記載の媒体。
【発明の詳細な説明】
【技術分野】
【０００１】
本開示は概してワイヤレス通信に関し、より詳細には、ワイヤレス・ネットワークにおける、改良された協調マルチポイント（ＣｏＭＰ：Ｃｏ−ｏｒｄｉｎａｔｉｏｎ  Ｍｕｌｔｉ  Ｐｏｉｎｔ）セット決定のための方法及びシステムに関する。
【背景技術】
【０００２】
３ＧＰＰロング・ターム・エボリューション（ＬＴＥ：Ｌｏｎｇ  Ｔｅｒｍ  Ｅｖｏｌｕｔｉｏｎ）ネットワークとは、基地局が管理するセルで構成された、セルラ・ネットワークである。これらのセルは、通常、特定の地理的位置に関連付けられる。特定のセルに位置するユーザ機器（ＵＥ：ｕｓｅｒ  ｅｑｕｉｐｍｅｎｔ）は、セルを管理するサービス基地局（ＳＢＳ：ｓｅｒｖｉｎｇ  ｂａｓｅ  ｓｔａｔｉｏｎ）とデータを送受信することにより、セルラ・ネットワークを利用することができる。ＵＥがセル端に移動すると、サービス基地局からのスループットが低下し、サービス品質の低下につながる可能性がある。サービス基地局のシステム・スループットも影響を受ける可能性がある。
【０００３】
３ＧＰＰ仕様書（ＴＲ３６．８１９  Ｖ１１．１．０、セクション４）は、セル端におけるスループットの問題を解決する方法として、協調マルチポイント（ＣｏＭＰ）送受信を提案している。この方式の下では、ＣｏＭＰセット内の幾つかの基地局がＵＥとのデータ伝送を調整することで、データ・スループットの維持が可能である。しかし、３ＧＰＰ仕様書は、そのＵＥ向けのＣｏＭＰセットを、隣接基地局（ＮＢＳ：ｎｅｉｇｈｂｏｒｉｎｇ  ｂａｓｅ  ｓｔａｔｉｏｎ）を含むように決定する方法について、どのような機構も規定していない。既知の方法の１つは、任意の位置にあるＵＥによって報告された信号強度、信号品質、及びチャネル状態情報に基づき、ＣｏＭＰセットを隣接基地局に含むように形成するというものであり、このＣｏＭＰセット内の全ての隣接基地局が、ＵＥに対してデータ伝送を行うことが可能になる。しかし、このセットは、ＵＥモビリティを考慮に入れた保持又は更新がなされない。
【先行技術文献】
【非特許文献】
【０００４】
【非特許文献１】3GPP Technical Specification Group Radio Access Network; Evolved Universal Terrestrial Radio Access (E-UTRA); Physical channels and modulation (Release 12) (http://www.3gpp.org/ftp/Specs/archive/36_series/36.211/36211-c00.zip)
【非特許文献２】3GPP Technical Specification Group Services and System Aspects; General Packet Radio Service (GPRS) enhancements for Evolved Universal Terrestrial Radio Access Network (E-UTRAN) access (Release 8) (http://www.3gpp.org/ftp/Specs/archive/23_series/23.401/23401-8g0.zip)
【非特許文献３】3GPP Technical Specification Group Radio Access Network; Evolved Universal Terrestrial Ration Access (E-UTRA); Radio Resource Control (RRC); Protocol Specification (Release 8) (http://www.3gpp.org/ftp/Specs/archive/36_series/36.331/36331-8h0.zip)
【非特許文献４】3GPP Technical Specification Group Radio Access Network; Evolved Universal Terrestrial Radio Access (E-UTRA); Medium Access Control (MAC) protocol specification (Release 8) (http://www.3gpp.org/ftp/Specs/archive/36_series/36.331/36331-8h0.zip)
【発明の概要】
【発明が解決しようとする課題】
【０００５】
本発明者らは、このような方法が伴う、以下に説明するような幾つかの技術的課題を認識している。第１に、ＵＥのモビリティを考慮に入れなければ、ＣｏＭＰセットが不適切な隣接基地局（例えば、ＵＥに対して必要なスループット又はサービス品質を提供できない局）を含んでしまう可能性がある。第２に、ＣｏＭＰセット内の全てのＮＢＳにデータ伝送の実行を許可することにより、深刻な干渉が生じる可能性がある。第３に、信号強度、信号品質、及びチャネル状態情報というような、ＵＥからの全ての測定報告パラメータを受け入れることにより、ＣｏＭＰセットの決定が、ネットワークに対する不必要なシグナリングやデータ・バッファリングを惹起する可能性がある。結果、過度なネットワーク処理オーバヘッドが生じかねず、これはＣｏＭＰセットの形成が遅延することにつながる。この待機時間（latency）もまた、ＵＥに提供されるサービス品質に悪影響を及ぼす可能性がある。
【課題を解決するための手段】
【０００６】
本開示の実施例は、本発明者らが認識している、従来のシステムにおける上記技術的課題のうちの１つ又は複数に対する解決策としての技術改良を提示する。例えば、一実施例では、協調マルチポイントセット決定システムが提供される。システムは、ハードウェア・プロセッサと、ハードウェア・プロセッサを介して、サービス基地局についてのサービス基地局情報及びサービス基地局の複数の隣接基地局についての隣接基地局情報を取得し、ハードウェア・プロセッサを介して、隣接基地局情報及びサービス基地局情報に基づき、初期協調マルチポイント地域を決定し、ハードウェア・プロセッサを介して、サービス基地局に関連付けられた各ユーザ機器に対して、隣接基地局のデフォルト協調マルチポイントセットを識別し、ハードウェア・プロセッサを介して、ユーザ機器のスループット並びにユーザ機器の絶対位置及びサービス基地局に対するユーザ機器の位置の少なくとも一方に基づき、協調マルチポイントセット決定のために、サービス基地局に関連付けられたユーザ機器の１つを候補として選択し、ハードウェア・プロセッサを介して、選択されたユーザ機器に対して、選択されたユーザ機器と隣接基地局との間の距離に基づき、隣接基地局候補のセットを識別し、ハードウェア・プロセッサを介して、１つ又は複数のワイヤレス通信パラメータに基づき、選択されたユーザ機器に対して、隣接基地局の中間協調マルチポイントセットを識別し、ハードウェア・プロセッサを介して、選択されたユーザ機器に対しての隣接基地局のデフォルト協調マルチポイントセットを、隣接基地局の中間協調マルチポイントセットで置き換えるかどうかを選択し、ハードウェア・プロセッサを介して、隣接基地局の選択された協調マルチポイントセットを、協調マルチポイント通信用に、選択されたユーザ機器に対しての最終協調マルチポイントセットとして設定するための、ハードウェア・プロセッサによって実行可能な命令を記憶するメモリとを含む。
【０００７】
別の実施例では、協調マルチポイントセット決定方法が提供される。方法は、サービス基地局についてのサービス基地局情報及びサービス基地局の複数の隣接基地局についての隣接基地局情報を取得するステップと、隣接基地局情報及びサービス基地局情報に基づき、初期協調マルチポイント地域を決定するステップと、サービス基地局に関連付けられた各ユーザ機器に対して、隣接基地局のデフォルト協調マルチポイントセットを識別するステップと、ユーザ機器のスループット並びにユーザ機器の絶対位置及びサービス基地局に対するユーザ機器の位置の少なくとも一方に基づき、協調マルチポイントセット決定のために、サービス基地局に関連付けられたユーザ機器の１つを候補として選択するステップと、選択されたユーザ機器に対して、選択されたユーザ機器と隣接基地局との間の距離に基づき、隣接基地局候補のセットを識別するステップと、１つ又は複数のワイヤレス通信パラメータに基づき、選択されたユーザ機器に対して、隣接基地局の中間協調マルチポイントセットを識別するステップと、選択されたユーザ機器に対しての隣接基地局のデフォルト協調マルチポイントセットを、隣接基地局の中間協調マルチポイントセットで置き換えるかどうかを選択するステップと、隣接基地局の選択された協調マルチポイントセットを、協調マルチポイント通信用に、選択されたユーザ機器に対しての最終協調マルチポイントセットとして設定するステップとを含む。
【０００８】
更に別の実施例では、非一時的コンピュータ可読記憶媒体が提供される。記憶媒体は、コンピュータによって実行されたときに、コンピュータに協調マルチポイントセット決定方法を実行させるプログラムを記憶する。方法は、サービス基地局についてのサービス基地局情報及びサービス基地局の複数の隣接基地局についての隣接基地局情報を取得するステップと、隣接基地局情報及びサービス基地局情報に基づき、初期協調マルチポイント地域を決定するステップと、サービス基地局に関連付けられた各ユーザ機器に対して、隣接基地局のデフォルト協調マルチポイントセットを識別するステップと、ユーザ機器のスループット並びにユーザ機器の絶対位置及びサービス基地局に対するユーザ機器の位置の少なくとも一方に基づき、協調マルチポイントセット決定のために、サービス基地局に関連付けられたユーザ機器の１つを候補として選択するステップと、選択されたユーザ機器に対して、選択されたユーザ機器と隣接基地局との間の距離に基づき、隣接基地局候補のセットを識別するステップと、１つ又は複数のワイヤレス通信パラメータに基づき、選択されたユーザ機器に対して、隣接基地局の中間協調マルチポイントセットを識別するステップと、選択されたユーザ機器に対しての隣接基地局のデフォルト協調マルチポイントセットを、隣接基地局の中間協調マルチポイントセットで置き換えるかどうかを選択するステップと、隣接基地局の選択された協調マルチポイントセットを、協調マルチポイント通信用に、選択されたユーザ機器に対しての最終協調マルチポイントセットとして設定するステップとを含む。
【０００９】
上述の概括的説明及び以下の詳細な説明は共に例示的且つ説明的なものに過ぎず、特許請求される本発明を限定するものではないことを理解されたい。
【００１０】
本開示に組み込まれ、その一部を成す添付図面は、例示的実施例を図解すると共に、その説明と併せることで、開示される原理を説明する役に立つ。
【図面の簡単な説明】
【００１１】
【図１】本開示の実施例が使用可能な、ＬＴＥワイヤレス・ネットワークを示す図である。
【図２】本開示の幾つかの実施例による、例示的ｅＮｏｄｅＢの機能ブロック図である。
【図３】本開示の幾つかの実施例による、例示的ｅＮｏｄｅＢが持つ幾つかの構成要素間での相互作用を示す機能ブロック図である。
【図４Ａ】本開示の幾つかの実施例による、ＣｏＭＰセットを決定するための例示的方法を示す流れ図である。
【図４Ｂ】本開示の幾つかの実施例による、ＣｏＭＰセットを決定するための例示的方法を示す流れ図である。
【図４Ｃ】本開示の幾つかの実施例による、ＣｏＭＰセットを決定するための例示的方法を示す流れ図である。
【図４Ｄ】本開示の幾つかの実施例による、ＣｏＭＰセットを決定するための例示的方法を示す流れ図である。
【図４Ｅ】本開示の幾つかの実施例による、ＣｏＭＰセットを決定するための例示的方法を示す流れ図である。
【図５】本開示と調和する実施例を実装するための、例示的コンピュータ・システムのブロック図である。
【発明を実施するための形態】
【００１２】
添付図面を参照しながら、例示的実施例が説明される。各図において、参照番号の左端の桁は、その参照番号が初出となる図を示す。便宜上、同一又は類似の部分の参照には、図面全体を通して、同一の参照番号が使用される。開示される原理の実例及び特徴が、本明細書において説明されるが、開示される実施例の趣旨及び範囲から逸脱することなく、修正、改作、及び異なる実装形態も可能である。以下の詳細な説明が単なる例示と見なされ、真の範囲及び趣旨は、続く特許請求の範囲によって示されることが意図される。
【００１３】
本開示の例示的実施例が以下に列挙される。一実施例では、協調マルチポイントセット決定システムが提供される。システムは、ハードウェア・プロセッサと、ハードウェア・プロセッサを介して、サービス基地局についてのサービス基地局情報及びサービス基地局の複数の隣接基地局についての隣接基地局情報を取得し、ハードウェア・プロセッサを介して、隣接基地局情報及びサービス基地局情報に基づき、初期協調マルチポイント地域を決定し、ハードウェア・プロセッサを介して、サービス基地局に関連付けられた各ユーザ機器に対して、隣接基地局のデフォルト協調マルチポイントセットを識別し、ハードウェア・プロセッサを介して、ユーザ機器のスループット並びにユーザ機器の絶対位置及びサービス基地局に対するユーザ機器の位置の少なくとも一方に基づき、協調マルチポイントセット決定のために、サービス基地局に関連付けられたユーザ機器の１つを候補として選択し、ハードウェア・プロセッサを介して、選択されたユーザ機器に対して、選択されたユーザ機器と隣接基地局との間の距離に基づき、隣接基地局候補のセットを識別し、ハードウェア・プロセッサを介して、１つ又は複数のワイヤレス通信パラメータに基づき、選択されたユーザ機器に対して、隣接基地局の中間協調マルチポイントセットを識別し、ハードウェア・プロセッサを介して、選択されたユーザ機器に対しての隣接基地局のデフォルト協調マルチポイントセットを、隣接基地局の中間協調マルチポイントセットで置き換えるかどうかを選択し、ハードウェア・プロセッサを介して、隣接基地局の選択された協調マルチポイントセットを、協調マルチポイント通信用に、選択されたユーザ機器に対しての最終協調マルチポイントセットとして設定するための、ハードウェア・プロセッサによって実行可能な命令を記憶するメモリとを含む。
【００１４】
図１は、本開示の実施例が使用可能な、ＬＴＥワイヤレス・ネットワーク１００を示す。図１に示されるように、ＬＴＥワイヤレス・ネットワーク１００は、カバレッジ・エリア１０４ａに関連付けられたｅＮｏｄｅＢ１０２ａと、カバレッジ・エリア１０４ｂに関連付けられたｅＮｏｄｅＢ１０２ｂとを含む。ＬＴＥワイヤレス・ネットワーク１００はまた、ゲートウェイ１０５を含む。ｅＮｏｄｅＢ１０２ａ及び１０２ｂは、無線リソース管理（ＲＲＭ：ｒａｄｉｏ  ｒｅｓｏｕｒｃｅ  ｍａｎａｇｅｍｅｎｔ）、ユーザ・データ・ストリームのヘッダ圧縮及び暗号化、パケットのスケジューリング及び伝送、ブロードキャスト情報の転送、物理層処理等の機能を提供することができる。ゲートウェイ１０５は、例えば、ＰＤＮゲートウェイを含む、ゲートウェイの組合せを含むことができる。ＰＤＮゲートウェイは、パケットのフィルタリング、モバイルＩＰ、ポリシー実施等の機能を提供することができる。ゲートウェイ１０５はまた、モビリティ管理エンティティ（ＭＭＥ：ｍｏｂｉｌｉｔｙ  ｍａｎａｇｅｍｅｎｔ  ｅｎｔｉｔｙ）を含むことができ、このエンティティは、例えば、非アクセス層、暗号化及び完全性保護、コア間ネットワークのシグナリング、ＳＡＥベアラ(bearer)制御、ハンドオーバ等の機能を提供することができる。ゲートウェイ１０５は、合法傍受、パケットのルーティング及びフォワーディング、アップリンク及びダウンリンクにおけるトランスポート・レベル・パケットのマーキング、ユーザへの課金処理等、その他の機能を提供することもできる。場合によっては、ゲートウェイ１０５は、ポリシー／課金ルール機能、ポリシー実施に関する判断、及び加入者情報記憶域を提供する他のエンティティと、相互作用することもできる。
【００１５】
ｅＮｏｄｅＢ１０２ａ及び１０２ｂの両者は、自身に関連付けられたカバレッジ・エリア内にＵＥ（例えば、ＵＥ１１０〜１１６のいずれか１台）が存在すれば、インターネット１０６とそのＵＥとの間で、ゲートウェイ１０５を介してデータを中継することができる。例えば、ＵＥ１１０、１１３、及び１１４は、ｅＮｏｄｅＢ１０２ａに関連付けられたカバレッジ・エリア１０４ａの内側に位置しており、したがって、これらのＵＥは、ｅＮｏｄｅＢ１０２ａを使用して、インターネット１０６とデータの送受信を行うことができる。更に、ＵＥ１１６及び１１７は、カバレッジ・エリア１０４ｂの内側に位置しており、ｅＮｏｄｅＢ１０２ｂを使用して、インターネット１０６とデータの送受信を行うことができる。
【００１６】
その一方で、図１に示されるように、ＵＥ１１１及び１１２は、カバレッジ・エリア１０４ａと１０４ｂとの間にある、重複カバレッジ・エリア１０４ｃに位置している。重複カバレッジ・エリア１０４ｃは、カバレッジ・エリア１０４ａの端、及びカバレッジ・エリア１０４ｂの端に近くもある。結果として、ＵＥ１１１及び１１２は、データ・スループットが低くなる可能性がある。重複エリアでのスループットは、例えば、ｅＮｏｄｅＢ１０２ａ及び１０２ｂの両者が、ＵＥ１１１及び１１２に関連付けられたＣｏＭＰセットに含まれる場合には、改善することが可能である。そのようにすることで、ｅＮｏｄｅＢ１０２ａ及び１０２ｂは、ＵＥ１１１及び１１２のために動作するよう調整可能となる。ｅＮｏｄｅＢ１０２ａ及び１０２ｂを含めることの決定は、例えば、ＵＥ１１１と１１２とが重複カバレッジ・エリア（例えば、重複カバレッジ・エリア１０４ｃ）に位置しているという判断、重複カバレッジ・エリアの部分となっているカバレッジ・エリアに関連付けられた隣接基地局、及び様々なワイヤレス通信パラメータに基づくものとすることができる。この決定は、例えば、ＵＥ１１１及び１１２の位置に基づき、動的且つ周期的に更新することもできる。例えば、ＵＥ１１１がｅＮｏｄｅＢ１０２ｂから遠ざかっていると判断された場合、ＵＥ１１１に関連付けられたＣｏＭＰセットを更新して、ｅＮｏｄｅＢ１０２ｂをセットから削除することができる。その一方で、ＵＥ１１１がｅＮｏｄｅＢ１０２ｂに近づいていると判断された場合、ｅＮｏｄｅＢ１０２ｂはハンドオーバのための候補隣接基地局であるという指示に基づき、ＵＥ１１１に関連付けられたＣｏＭＰセットを更新して、ｅＮｏｄｅＢ１０２ｂをセットに含み入れることもできる。
【００１７】
図２は、本開示の幾つかの実施例による、例示的ｅＮｏｄｅＢ２００の機能ブロック図である。幾つかの実施例では、ｅＮｏｄｅＢ２００を使用して、図１のｅＮｏｄｅＢ１０２ａ及び１０２ｂの機能のうち、少なくとも幾つかを実装することができる。図２に示されるように、ｅＮｏｄｅＢ２００は、物理層２０２、プロトコル層２１２、ｅＮｏｄｅＢアプリケーション２２２、及び管理アプリケーション２３２を含む。
【００１８】
幾つかの実施例では、物理層２０２は、ＵＥとの通信のために使用することができると共に、例えば、ＯＦＤＭ変調及びコーディング、リソース分割、多重化等の機能を提供し得る。幾つかの実施例では、物理層２０２は、3GPP Technical Specification Group Radio Access Network; Evolved Universal Terrestrial Radio Access (E-UTRA); Physical channels and modulation (Release 12) (http://www.3gpp.org/ftp/Specs/archive/36_series/36.211/36211-c00.zip)において定義される構成要素を含む。上記文献の内容は、参照により本明細書に組み込まれる。
【００１９】
幾つかの実施例では、プロトコル層２１２を使用して、制御プロトコル及びユーザ・プレーン・プロトコル（例えば、ＲＲＣ、Ｘ２ＡＰ、ＰＤＣＰ、ＲＬＣ、ＭＡＣ、ｅＧＴＰ−Ｕメッセージ等）を処理することができると共に、例えば、ユーザ・レベルＩＰパケットのヘッダ圧縮及び暗号化、エラー回復及びフロー制御、ハイブリッド自動再送要求（ＨＡＲＱ：ｈｙｂｒｉｄ  ａｕｔｏｍａｔｉｃ  ｒｅｐｅａｔ  ｒｅｑｕｅｓｔ）、スケジューリング等の機能を提供し得る。
【００２０】
ＲＲＣは、例えば、接続確立及び接続解除、システム情報のブロードキャスティング、ベアラ確立、再構成等の機能を提供することができる。ＲＲＣは、ＲＲＣモビリティ手順、ページング通知及び解放、並びに外部ループ電力制御を処理することもできる。ＲＲＭは、ＲＲＣのサブセットとして動作することができると共に、ＲＲＣリソースを管理することもできる。また、ＲＲＭは、測定報告のための測定構成を提供することや、ＲＲＣを介して受領した測定報告を処理することもできる。
【００２１】
Ｘ２ＡＰを使用して、ＵＥモビリティを処理することができる。Ｘ２ＡＰは、例えば、ハンドオーバ中のモビリティ管理、負荷分散のための負荷管理、システムに障害が発生した場合におけるＸ２のリセット、基地局間で情報を転送するためのＸ２のセットアップ、ｅＮｏｄｅＢの構成設定の変更を最新のものにするためのｅＮｏｄｅＢ構成の更新等の機能を提供することができる。
【００２２】
ＰＤＣＰは、ワイヤレス通信におけるユーザ・プレーン及び制御プレーンに対する機能を提供することができる。これらの機能としては、例えば、ヘッダの圧縮及び展開、より上位層のＳＤＵの順次送出、より下位層のＳＤＵの重複検出、ハンドオーバ時のＰＤＣＰ  ＳＤＵの再送、暗号化及び完全性保護、並びに制御プレーンデータ転送が挙げられる。
【００２３】
幾つかの実施例では、プロトコル層２１２は、3GPP Technical Specification Group Services and System Aspects; General Packet Radio Service (GPRS) enhancements for Evolved Universal Terrestrial Radio Access Network (E-UTRAN) access (Release 8) (http://www.3gpp.org/ftp/Specs/archive/23_series/23.401/23401-8g0.zip)、3GPP Technical Specification Group Radio Access Network; Evolved Universal Terrestrial Ration Access (E-UTRA); Radio Resource Control (RRC); Protocol Specification (Release 8) (http://www.3gpp.org/ftp/Specs/archive/36_series/36.331/36331-8h0.zip)、及び3GPP Technical Specification Group Radio Access Network; Evolved Universal Terrestrial Radio Access (E-UTRA); Medium Access Control (MAC) protocol specification (Release 8) (http://www.3gpp.org/ftp/Specs/archive/36_series/36.331/36331-8h0.zip)において定義される構成要素及び機能を含むことができる。上記文献の内容は、参照により本明細書に組み込まれる。
【００２４】
ｅＮｏｄｅＢアプリケーション２２２は、例えば、着信呼の承認、呼の最終処理、モビリティ管理、ダウンリンク・スケジューリング、ＮＢＳ機能、物理セルＩＤ（ＰＣＩ：Ｐｈｙｓｉｃａｌ  Ｃｅｌｌ  ＩＤ）構成、ドライブ・テストの最小化（ＭＤＴ：ｍｉｎｉｍｉｚａｔｉｏｎ  ｏｆ  ｄｒｉｖｅ  ｔｅｓｔ）等の機能を提供することができる。管理アプリケーション２３２は、ｅＮｏｄｅＢアプリケーション２２２向けの構成データを提供することができる。
【００２５】
図２に示されるように、ｅＮｏｄｅＢアプリケーション２２２は更に、ＣｏＭＰセット決定モジュール２２４を含む。幾つかの実施例では、ＣｏＭＰセット決定モジュール２２４は、ＣｏＭＰ決定に関する構成情報を、管理アプリケーション２３２から取得することができる。ＣｏＭＰセット決定モジュール２２４は、管理アプリケーション２３２から受領した構成情報の少なくとも一部を、記憶することもできる。また、ＣｏＭＰセット決定モジュール２２４は、セル端に位置するＵＥにサービスを提供するために使用されることになるＣｏＭＰセットを決定し、それに応じて構成情報を更新することもできる。その場合、更新された構成は、ｅＮｏｄｅＢ２００の他の構成要素を構成するために提供される。
【００２６】
幾つかの実施例では、構成情報は、以下のパラメータのうち、少なくとも幾つかを含むことができる。
【００２７】
デフォルト隣接基地局（ＮＢＳ）リスト（ＮＢＳＤｅｆａｕｌｔ）は、システムの初期化中における、ＮＢＳのデフォルト・リストに関するものとすることができる。このリストを使用して、ハンドオーバ中に最適なＮＢＳを検索することができる。ＣｏＭＰセットを決定及び更新するために、この情報はシステムによって使用可能である。
【００２８】
ＣｏＭＰセット検証タイマ（ＣｏＭＰ−Ｖａｌｔｉｍｅｒ）は、新たに決定されたＣｏＭＰセットの検証プロセスの持続時間に関するものとすることができる。ＣｏＭＰセットを決定及び更新するために、このパラメータはシステムによって使用可能である。
【００２９】
信号強度閾値（Ｓｉｇｎａｌｔｈ）は、基準信号受信電力（ＲＳＲＰ：ｒｅｆｅｒｅｎｃｅ  ｓｉｇｎａｌ  ｒｅｃｅｉｖｅｄ  ｐｏｗｅｒ）の閾値に関するものとすることができる。この閾値は、隣接基地局（ＮＢＳ）からの測定報告を、ＣｏＭＰセット決定の考慮に入れるべきかどうかを判断するために使用することができる。ＵＥ測定報告に基づき、値は動的に変更することができる。
【００３０】
ハイブリッド自動再送要求（ＨＡＲＱ）向け物理リソース再送閾値（ＰＨｈａｒｑｔｈ）は、あるＮＢＳをＣｏＭＰセットの候補と見なすべきかどうかを判断するための、ＨＡＲＱ係数の閾値に関するものとすることができる。ＨＡＲＱの値がＰＨｈａｒｑｔｈを下回る場合、システムは、ＣｏＭＰセット検証(validation)ステージ（以下に論じる）中に、当該ＮＢＳをＣｏＭＰセット候補として含まないという判断を下してもよい。
【００３１】
チャネル品質（ＣＱ：Ｃｈａｎｎｅｌ  Ｑｕａｌｉｔｙ）閾値（ＣＱｔｈ）は、あるＮＢＳをＣｏＭＰセットの候補と見なすべきかどうかを判断するための、チャネル品質係数の閾値に関するものとすることができる。ＣＱの値がＣＱｔｈを下回る場合、システムは、ＣｏＭＰセット検証ステージ中に、当該ＮＢＳをＣｏＭＰセット候補として含まないという判断を下してもよい。
【００３２】
ＲＡＣＨ向け物理リソース再送閾値（ＰＨｒａｃｈｔｈ:Threshold Physical Resource Retransmission for RACH）は、あるＮＢＳをＣｏＭＰセットの候補と見なすべきかどうかを判断するための、ＲＡＣＨ再送係数の閾値に関するものとすることができる。物理ＲＡＣＨ再送係数がＰＨｒａｃｈｔｈを上回る場合、システムは、ＣｏＭＰセット検証ステージ中に、当該ＮＢＳをＣｏＭＰセット候補として含まないという判断を下してもよい。
【００３３】
無線リンク障害閾値係数（ＲＬＦＴｈＦａｃｔ: Threshold Radio Link Failure Factor）は、ハンドオーバ用にＮＢＳを選択するための閾値に関するものとすることができる。無線リンク障害係数（ＲＬＦ：ｒａｄｉｏ  ｌｉｎｋ  ｆａｉｌｕｒｅ  ｆａｃｔｏｒ）がＲＬＦＴｈＦａｃｔを上回る場合、システムは、あるセルを選択せず、またそのセルに関連付けられたＮＢＳをＣｏＭＰセットに含み入れないという判断を下してもよい。
【００３４】
隣接基地局セル半径（ＮｅｉｇｈＣｅｌｌ＿Ｒａｄｉｕｓ）は、ある基地局に関連付けられたカバレッジ・エリアの半径を判断するために使用されるパラメータに関するものとすることができる。重複カバレッジ・エリアは、ＮｅｉｇｈＣｅｌｌ＿Ｒａｄｉｕｓに基づいて求めることができる。
【００３５】
隣接基地局位置（ＮｅｉｇｈＬｏｃ）は、隣接基地局（ＮＢＳ）の地理位置に関するものとすることができる。このパラメータは、重複カバレッジ・エリアを求めるために使用することができる。このパラメータは、システムの初期化において使用することができる。
【００３６】
セル距離閾値（ＣｅｌｌＤｉｓｔｔｈ）は、セル・カバレッジ・エリアの境界からの距離閾値に関するものとすることができる。ＵＥと境界との間の距離がＣｅｌｌＤｉｓｔｔｈを下回る場合、システムは、ＵＥがカバレッジ・エリアのセル端にあると判断することができる。このパラメータは、システムの初期化において使用することができ、またそのＵＥがＣｏＭＰセットに関連付けられるべき候補であり、ＣｏＭＰセットにリストされたＮＢＳによるサービス提供が可能かどうかを判断する際に使用することができる。
【００３７】
スループット閾値（ＴＰｔｈ）は、ＵＥのデータ・スループット閾値に関するものとすることができる。ＵＥのデータ・スループットがＴＰｔｈを下回る場合、システムは、そのＵＥがＣｏＭＰセットに関連付けられるべき候補であり、ＣｏＭＰセットにリストされたＮＢＳによるサービス提供が可能であると判断することができる。
【００３８】
セクタ数（ＳＢＳＣｅｌｌ＿Ｓｅｃ）は、サービス基地局（ＳＢＳ）によって管理されるセル内のセクタ数に関するものとすることができる。このパラメータを使用して、ＳＢＳによって管理されるセルの各セクタ内の隣接基地局（ＮＢＳ）が持つカバレッジ・エリアを求めることができる。このパラメータは、システムの初期化において使用することができる。
【００３９】
次に図３を参照する。図３は、ＣｏＭＰセット決定モジュール２２４と、管理アプリケーション２３２と、ｅＮｏｄｅＢ２００における他の構成要素の少なくとも幾つかとの間での、例示的相互作用を示す機能ブロック図である。図３に示されるように、ＣｏＭＰセット決定モジュール２２４は、ＣｏＭＰセットを決定する際に、プロトコル層２１２のモジュールである、無線リソース制御（ＲＲＣ：ｒａｄｉｏ  ｒｅｓｏｕｒｃｅ  ｃｏｎｔｒｏｌ）２４２、パケット・データ収束プロトコル（ＰＤＣＰ：ｐａｃｋｅｔ  ｄａｔａ  ｃｏｎｖｅｒｇｅｎｃｅ  ｐｒｏｔｏｃｏｌ）２４４、無線リンク制御（ＲＬＣ：ｒａｄｉｏ  ｌｉｎｋ  ｃｏｎｔｒｏｌ）２４６、及びＸ２アプリケーション・プロトコル（Ｘ２ＡＰ：Ｘ２  ａｐｐｌｉｃａｔｉｏｎ  ｐｒｏｔｏｃｏｌ）２４８モジュールと相互作用することができる。更に、管理アプリケーション２３２は、これらのモジュールの構成を可能にする、ｅＮｏｄｅＢアプリケーション２２２向けの構成データを提供することができる。この構成データは、以下のパラメータのうち、少なくとも幾つかを含むことができる。
【００４０】
ＣｏＭＰセット決定モジュール２２４向け構成データ。この構成データは、例えば、物理セルＩＤ（ＰＣＩ）、隣接リスト（Ｎｅｉｇｈｂｏｒｉｎｇ  Ｌｉｓｔ）、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）セル・グローバルＩＤ（ＥＣＧＩ：Ｅ−ＵＴＲＡＮ  Ｃｅｌｌ  Ｇｌｏｂａｌ  Ｉｄｅｎｔｉｆｉｅｒ）、インターネット・プロトコル（ＩＰ：Ｉｎｔｅｒｎｅｔ  ｐｒｏｔｏｃｏｌ）、ハンドオーバ（Ｈａｎｄｏｖｅｒ）、Ｘ２セットアップ等を含むことができる。
【００４１】
ＲＲＣＣｏｎｆｉｇ：プロトコル層のＲＲＣモジュールを構成するために使用可能な、ＲＲＣ構成データ。この構成データは、例えば、アンテナ情報（ＡｎｔｅｎｎａＩｎｆｏ）、ＣＱＩ報告構成（ＣＱＩ−ＲｅｐｏｒｔＣｏｎｆｉｇ）、論理チャネル構成（ＬｏｇｉｃａｌＣｈａｎｎｅｌＣｏｎｆｉｇ）、ＭＡＣ主構成（ＭＡＣ−ＭａｉｎＣｏｎｆｉｇ）、ＰＤＣＰ構成（ＰＤＣＰ−Ｃｏｎｆｉｇ）等を含むことができる。
【００４２】
ＲＲＭＣｏｎｆｉｇ：プロトコル層のＲＲＭモジュールを構成するために使用可能な、ＲＲＭ構成データ。この構成データは、測定構成（Ｍｅａｓｕｒｅｍｅｎｔ  Ｃｏｎｆｉｇｕｒａｔｉｏｎ）を含むことができる。
【００４３】
ＰＤＣＰＣｏｎｆｉｇ：ＰＤＣＰモジュールを構成するために使用可能な、ＰＤＣＰ構成データ。
【００４４】
Ｘ２ＡＰＣｏｎｆｉｇ：Ｘ２ＡＰモジュールを構成するために使用可能な、Ｘ２ＡＰ構成データ。
【００４５】
ＢＳＣｏｎｆｉｇ：伝送（ＴＸ）電力、基地局セルＩＤ、基地局位置等の、基地局構成データ。
【００４６】
上記パラメータの少なくとも幾つかを使用してサービス基地局（ＳＢＳ）を構成し、それにより、そのＳＢＳの各セクタにおける隣接基地局（ＮＢＳ）のＵＥ測定報告を受領することができる。
【００４７】
次に図４Ａ〜Ｅを参照する。図４Ａ〜Ｅは、ＣｏＭＰセットを決定するための例示的方法４００を示すフローチャートである。幾つかの実施例では、方法４００は、例えば、図２のＣｏＭＰセット決定モジュール２２４を含むシステムによって実行可能である。
【００４８】
ステップ４０２において、システムは、システムの初期化を実行して、ＣｏＭＰセット決定のための初期構成データを取得することができる。ここで図４Ｂを参照すると、ステップ４０２のサブステップが示されている。
【００４９】
ステップ４０４において、システムは、管理アプリケーション２３２から、上記の構成情報の少なくとも一部を受領することができる。この構成情報は、ＳＢＳを構成し、それにより、そのＳＢＳの各セクタにおけるＮＢＳのＵＥ測定報告を受領するための情報を含むことができる。また、この構成情報は、ＮＢＳＤｅｆａｕｌｔ（ハンドオーバのためのデフォルトＮＢＳのリスト）などのパラメータも含むことができる。
【００５０】
ステップ４０６において、システムは、隣接基地局（ＮＢＳ）に関する構成情報を決定することができる。この情報は、管理アプリケーション２３２からのＮＢＳのリスト（ＮＢＳＤｅｆａｕｌｔと同一でも、同一でなくてもよい）、リスト上の各ＮＢＳに関連付けられたセル・カバレッジ・エリアの半径（ＮｅｉｇｈＣｅｌｌ＿Ｒａｄｉｕｓ）、リスト上の各ＮＢＳの位置（ＮｅｉｇｈＬｏｃ）、ＮＢＳに関連付けられたセルのＰＣＩ、リスト上の各ＮＢＳの伝送信号強度等を含むことができる。
【００５１】
ステップ４０８において、システムは、サービス基地局（ＳＢＳ）に関する構成情報を決定することができる。この情報を使用して、ＳＢＳに関連付けられたセルのセクタ化を実行することができる。この情報は、全てのＳＢＳ向けのセクタ数ＳＢＳＣｅｌｌ＿Ｓｅｃ、ＳＢＳに関連付けられたセル・カバレッジ・エリアの半径（ＳＢＳＣｅｌｌ＿Ｒａｄｉｕｓ）、ＳＢＳにおける伝送信号強度等を含むことができる。結果として、この情報に基づいて標準的な方法（例えば、３ＧＰＰ仕様書３６３３１．ａ２０で指定される方法）を使用することで、カバレッジ・エリア全体をセクタに分割することができる。
【００５２】
ステップ４１０において、システムは、ＣｏＭＰ地域を決定することができる。幾つかの実施例では、ＣｏＭＰ地域は、隣接セル間の重複カバレッジ・エリア（例えば、図１の重複カバレッジ・エリア１０４ｃ）を表すことができ、それにより、ＣｏＭＰ地域内に位置するＵＥは、ＣｏＭＰセットに関連付けられるべき候補と見なすことができると共に、データ・スループット及びサービス品質を維持するために、ＮＢＳによってサービスを受けることができる。
【００５３】
ＣｏＭＰ地域の決定は、リスト上の各ＮＢＳのセル・カバレッジ半径（ＮｅｉｇｈＣｅｌｌ＿Ｒａｄｉｕｓ）、及びＳＢＳのセル・カバレッジ半径（ＳＢＳＣｅｌｌ＿Ｒａｄｉｕｓ）に基づいて実行することができる。例えば、ＳＢＳの各セクタ（ＳＢＳＣｅｌｌ＿Ｓｅｃ）（ステップ４０８で決定されたもの）及びリスト上のＮＢＳの各々について、システムは、重複カバレッジ・エリア、ＣｏＭＰｒｅｇｉｏｎを、以下のように求めることができる。
【００５４】
ＣｏＭＰｒｅｇｉｏｎ＝｜ＳＢＳＣｅｌｌ＿Ｒａｄｉｕｓ−ＮｅｉｇｈＣｅｌｌ＿Ｒａｄｉｕｓ｜×エリア係数（Ａｒｅａ  Ｆａｃｔｏｒ）
【００５５】
ステップ４１２において、システムは、デフォルトＣｏＭＰセットを決定することができる。例えば、システムは、ＮＢＳのリスト（例えば、ＮＢＳＤｅｆａｕｌｔ）に記載されたＮＢＳの各々を、デフォルトＣｏＭＰセットに含み入れることができる。また、システムは、ＮＢＳの各々と、ＳＢＳに関連付けられたセル・カバレッジ・エリア内に位置するＵＥの各々との間の距離を求めることもできる。
【００５６】
再び図４Ａを参照する。ステップ４０２でＣｏＭＰセット決定のための初期構成データを取得した後、システムはステップ４０４に進み、ＳＢＳに関連付けられたセル・カバレッジ・エリア内に位置するＵＥの各々に関連付けられた位置を決定することができる。位置の決定により、システムは、ある特定のＵＥが、ＣｏＭＰセットに関連付けられるべき候補かどうか、及びデータ・スループットとサービス品質とを維持するためにＮＢＳによってサービスを受けることができるかどうかを、判断することが可能になり、またある特定のＮＢＳが、ＣｏＭＰセットに含まれるべき候補かどうかを判断することも可能になる。
【００５７】
ここで図４Ｃを参照すると、ステップ４２２のサブステップが示されている。ステップ４２４において、システムは、リストされたＮＢＳの各々と、ＳＢＳのセル・セクタの各々との間の重複カバレッジ・エリアを求めることができる。求められた重複カバレッジ・エリアに基づき、システムは次いでセル端エリアを求めることができ、その場合、求められたセル端エリア内に位置する特定のＵＥを、ＣｏＭＰセットに関連付けられるべき候補と見なすことが可能である。幾つかの実施例では、重複カバレッジ・エリアの決定は、リスト上の各ＮＢＳのセル・カバレッジ半径（ＮｅｉｇｈＣｅｌｌ＿Ｒａｄｉｕｓ）、及びＳＢＳのセル・カバレッジ半径（ＳＢＳＣｅｌｌ＿Ｒａｄｉｕｓ）に基づくものとすることができる。
【００５８】
ステップ４２６において、システムは、ＵＥ（例えば、対象ＵＥ）及びそのＵＥが位置するセル・セクタを選択することができ、次いで、その特定のＵＥ及びその特定のセル・セクタ向けとなる以下のステップを実行する。
【００５９】
ステップ４２８において、システムは、ＵＥの絶対位置情報（例えば、ＧＰＳからのもの）が利用可能かどうかを判断することができる。絶対位置情報が利用可能な場合、システムは、ステップ４３０に進むことができる。絶対位置情報が利用不可能な場合、システムは、ステップ４３４に進むことができる。
【００６０】
ステップ４３０において、ステップ４２８で対象ＵＥの絶対位置情報が利用可能と判断した後、システムは、対象ＵＥの絶対位置情報を使用して、そのＵＥがＣｏＭＰサービスのための候補（例えば、ＣｏＭＰセットに関連付けられるべきもの）かどうかを判断することができる。この判断には、以下のステップ４３０ａ及び４３０ｂを含むことができる。
【００６１】
ステップ４３０ａにおいて、システムは、ＳＢＳからＵＥまでの距離と、ＳＢＳのセル・カバレッジ半径（ＳＢＳＣｅｌｌ＿Ｒａｄｉｕｓ）との関係に基づき、対象ＵＥがＳＢＳに関連付けられたセル内にあるかどうかを判断することができる。例えば、この関係が、ＵＥと境界との間の距離がＣｅｌｌＤｉｓｔｔｈを下回ることを示す、つまり、ＵＥがセル内にあると示す場合、システムは、対象ＵＥが、ＣｏＭＰサービスのための潜在的候補であると判断することができる。
【００６２】
ステップ４３０ｂにおいて、対象ＵＥが潜在的候補であると判断した後、システムは次いで、そのＵＥにおけるデータ・スループットが、スループット閾値（ＴＰｔｈ）を下回るかどうかを判断することができる。データ・スループットがＴＰｔｈを下回る場合、システムは、対象ＵＥをＣｏＭＰサービスのための候補と判断することができる。
【００６３】
ステップ４３２において、ステップ４２８でＵＥの絶対位置情報が利用可能と判断した後、システムは、ＵＥの絶対位置情報を使用して、ＮＢＳ（例えば、ＮＢＳＤｅｆａｕｌｔなど、ＮＢＳのリストからのもの）が第１の候補ＣｏＭＰセット（ＣｏＭＰｓｅｔ）に含まれるべき候補かどうかを判断することもできる。幾つかの実施例では、この判断に、以下のステップ４３２ａ及び４３２ｂを含むことができる。
【００６４】
ステップ４３２ａにおいて、システムは、ＮＢＳに関連付けられたセル内に位置する第２のＵＥから、Ｘ２インタフェース・メッセージングを通じて、ＵＥ測定報告を受領すると決定することができる。この測定報告は、第２のＵＥのＧＰＳ位置を含むことができる。
【００６５】
ステップ４３２ｂにおいて、システムは、ＳＢＳに関連付けられたセル内の対象ＵＥの絶対位置と、ＮＢＳに関連付けられたセル内の第２のＵＥの絶対位置との関係を判断することができる。この関係が、２台のＵＥは所定の距離閾値Ｄｉｓｔｔｈ以下の距離によって隔てられていると示す場合、システムは、そのＮＢＳを第１の候補ＣｏＭＰセットのための潜在的候補として含み入れると決定することができる。
【００６６】
再びステップ４２８を参照する。絶対位置情報が利用不可能な場合、システムは、ステップ４３４〜４３８に進み、ＵＥと基地局との間の相対位置を推定し、ＵＥの相対位置に基づき、ＣｏＭＰセット向けの候補ＵＥ及び候補ＮＢＳ決定を実行することができる。幾つかの実施例では、ＵＥの相対位置は、例えば、ＵＥ測定報告において報告される、ＵＥが受信した信号強度に基づいて求めることができる。この信号強度に基づき、システムは次いで信号の伝搬損失を求めることができ、またその伝搬損失に基づき、ＵＥと基地局との間の距離を推定することができる。幾つかの実施例では、システムは、ＵＥ測定報告に基づいて近接性分析を行うことや、その近接性分析に基づいてＣｏＭＰセット向けの候補ＮＢＳを決定することもできる。
【００６７】
ステップ４３４において、システムは、推定された対象ＵＥとＳＢＳとの間の相対距離に基づき、対象ＵＥがＣｏＭＰサービスを受ける候補かどうかを判断することができる。幾つかの実施例では、この判断に、以下のステップ４３４ａ、４３４ｂ、及び４３４ｃを含むことができる。
【００６８】
ステップ４３４ａにおいて、システムは、対象ＵＥからのＵＥ測定報告を取得し、上で論じたように、その測定報告に含まれる信号強度情報に基づき、ＵＥとＳＢＳとの間の相対距離を推定することができる。
【００６９】
ステップ４３４ｂにおいて、システムは、ステップ４３４ａで求められた相対距離と、ＳＢＳのセル・カバレッジ半径（ＳＢＳＣｅｌｌ＿Ｒａｄｉｕｓ）との関係を判断することができる。この関係に基づき、システムは、ＳＢＳに関連付けられたセル内にＵＥがあるかどうかを判断することができる。例えば、この関係が、ＵＥと境界との間の距離がＣｅｌｌＤｉｓｔｔｈを下回ることを示す、つまり、ＵＥがセル内にあると示す場合、システムは、ＵＥが、ＣｏＭＰサービスのための潜在的候補であると判断することができる。
【００７０】
ステップ４３４ｃにおいて、対象ＵＥが潜在的候補であると判断した後、システムは次いで、そのＵＥにおけるデータ・スループットが、スループット閾値（ＴＰｔｈ）を下回るかどうかを判断することができる。データ・スループットがＴＰｔｈを下回る場合、システムは、そのＵＥをＣｏＭＰサービスのための候補と判断することができる。
【００７１】
ステップ４３６において、ステップ４２８でＵＥの絶対位置情報が利用不可能と判断した後、システムは、ＮＢＳ（例えば、ＮＢＳＤｅｆａｕｌｔなど、ＮＢＳのリストからのもの）に関連付けられたセル内に位置する第２のＵＥの相対位置を推定し、次いで、そのＮＢＳが第１の候補ＣｏＭＰセット（ＣｏＭＰｓｅｔ）に含まれるべき候補かどうかを判断することもできる。この判断には、以下のステップ４３６ａ及び４３６ｂを含むことができる。
【００７２】
ステップ４３６ａにおいて、システムは、ＮＢＳに関連付けられたセル内に位置する第２のＵＥから、ＵＥ測定報告を受領すると決定することができる。
【００７３】
ステップ４３６ｂにおいて、システムは、第２のＵＥからのＵＥ測定報告に含まれる信号強度情報に基づき、ＮＢＳに対する第２のＵＥの相対位置を求めることができる。システムは次いで、ＳＢＳに関連付けられたセル内の対象ＵＥの相対位置と、ＮＢＳに関連付けられたセル内の第２のＵＥの相対位置との関係を判断することができる。この関係が、２台のＵＥは所定の距離閾値Ｄｉｓｔｔｈ以下の距離によって隔てられていると示す場合、システムは、そのＮＢＳを第１の候補ＣｏＭＰセットのための潜在的候補として含み入れると決定することができる。
【００７４】
ステップ４３８において、システムは、近接性に基づく分析を実行して、第２の候補ＣｏＭＰセット（ＣｏＭＰｓｅｔ＿ｐｒｏｘ）を決定することもできる。例えば、第３のＵＥを、（例えば、Ｄ２Ｄ通信方法に基づいて）対象ＵＥに近接していると判断することができる。この判断に基づき、対象ＵＥの近接距離を求めることができ、またＮＢＳに関連付けられたセル内の第２のＵＥの近接距離も求めることができる。対象ＵＥ及び第２のＵＥの近接位置に基づき、システムは次いで、ＮＢＳが第２の候補ＣｏＭＰセットに含まれるべきかどうか、及び対象ＵＥが第２の候補ＣｏＭＰセットに関連付けられるべきかどうかを、ステップ４３４及び４３６と同様の方法を使用して判断することができる。
【００７５】
第１及び第２の候補ＣｏＭＰセットを決定した後、システムは次いでステップ４４０に進み、それらのＣｏＭＰセットを、特定のセル・セクタ、特定のＵＥ（例えば、対象ＵＥ）、及び特定のＮＢＳと関連付けることができる。その後、システムは、他のセル・セクタ、そのセル・セクタ内に位置する他のＵＥ、及びリスト内の他のＮＢＳのために、ステップ４２２を繰り返すことができる。
【００７６】
再び図４Ａを参照する。ステップ４２２を完了した後、システムは次いでステップ４４２に進み、ＣｏＭＰモードを決定することができる。ＣｏＭＰモードは、例えば、協調スケジューリング（Ｃｏ−ｏｒｄｉｎａｔｅｄ  ｓｃｈｅｄｕｌｉｎｇ）やジョイント伝送（Ｊｏｉｎｔ  Ｔｒａｎｓｍｉｓｓｉｏｎ）とすることができる。
【００７７】
ステップ４４２でＣｏＭＰモードを決定した後、システムは次いでステップ４６２に進み、ステップ４２２で決定した第１及び第２の候補ＣｏＭＰセットに基づいて中間ＣｏＭＰセット（ＣｏＭＰＩｎｔｍｄｔ）を決定することができる。図４Ｄを参照する。システムは、ステップ４６２の実行に際して、以下のステップ４６４〜４７２の少なくとも幾つかを実行することができる。
【００７８】
ステップ４６４において、システムは、ＵＥ（例えば、対象ＵＥ）と、第１及び第２の候補ＣｏＭＰセットの両者に関連付けられたセル・セクタとを識別することができる。
【００７９】
ステップ４６６において、システムは、ステップ４６４から識別されたＵＥ及びセル・セクタに基づき、第２の候補ＣｏＭＰセットに関連付けられたＮＢＳを識別することができる。例えば、別々の第２の候補ＣｏＭＰセットが、別々のＵＥ、セル・セクタ、及びＮＢＳに関連付けられている場合、システムは、ある第２の候補ＣｏＭＰセットに関連付けられたＮＢＳを識別することができ、この第２の候補ＣｏＭＰセットは、識別されたＵＥ及びセル・セクタにも関連付けられたものである。
【００８０】
ステップ４６８において、ステップ４６６でＮＢＳを識別した後、システムは、識別されたＮＢＳに関連付けられたものである、隣接セルに関連付けられた、もう１つのワイヤレス通信パラメータ及び測定報告を受領することができる。この測定報告及びパラメータは、Ｘ２インタフェースを介して受領することができる。このパラメータは、当該ＮＢＳが中間ＣｏＭＰセットに含まれるべきものかどうかを判断するために使用することができる。これらのパラメータには、例えば、ＨＡＲＱ向け物理リソース再送（ＰＨｈａｒｑ）、チャネル品質情報（ＣＱＩ：ｃｈａｎｎｅｌ  ｑｕａｌｉｔｙ  ｉｎｆｏｒｍａｔｉｏｎ）、ＲＡＣＨ情報等を含むことができる。
【００８１】
ステップ４７０において、システムは、受領したパラメータを、システムがシステムの初期化（図４Ａのステップ４０２）中に取得した、対応する閾値と照らし合わせて比較することができる。図４Ｅを参照する。システムは、ステップ４７０の実行に際して、以下のステップ４７０ａ〜ｄの少なくとも幾つかを実行することができる。
【００８２】
ステップ４７０ａにおいて、システムは、隣接セルのＲＡＣＨ向け物理リソース再送Ｐｈｙｒａｃｈ（ＰＨｒａｃｈ）が、ＰＨｒａｃｈｔｈを下回るかどうかを判断することができる。ＰＨｒａｃｈがＰＨｒａｃｈｔｈを下回ると判断された場合、システムは、ステップ４７０ｂに進むことができる。ＰＨｒａｃｈがＰＨｒａｃｈｔｈを下回らないと判断された場合、システムはステップ４７０ｅに進み、そのＮＢＳを中間ＣｏＭＰセットに含み入れないと決定することができる。
【００８３】
ステップ４７０ｂにおいて、システムは、隣接セルの無線リンク障害（ＲＬＦｆａｉｌ）が、ＲＬＦＴｈＦａｃｔを下回るかどうかを判断することができる。ＲＬＦｆａｉｌがＲＬＦＴｈＦａｃｔを下回ると判断された場合、システムは、ステップ４７０ｃに進むことができる。ＲＬＦｆａｉｌがＲＬＦＴｈＦａｃｔを下回らないと判断された場合、システムはステップ４７０ｅに進み、そのＮＢＳを中間ＣｏＭＰセットに含み入れないと決定することができる。
【００８４】
ステップ４７０ｃにおいて、システムは、隣接セルのチャネル品質（ＣＱ）が、ＣＱｔｈを超過するかどうかを判断することができる。ＣＱがＣＱｔｈを超過すると判断された場合、システムは、ステップ４７０ｄに進むことができる。ＣＱがＣＱｔｈを超過しないと判断された場合、システムはステップ４７０ｅに進み、そのＮＢＳを中間ＣｏＭＰセットに含み入れないと決定することができる。
【００８５】
ステップ４７０ｄにおいて、システムは、隣接セルのＨＡＲＱ向け物理リソース再送（ＰＨｈａｒｑ）が、ＰＨｈａｒｑｔｈを超過するかどうかを判断することができる。ＰＨｈａｒｑがＰＨｈａｒｑｔｈを下回ると判断された場合、システムは、ステップ４７０ｆに進むことができる。ＰＨｈａｒｑがＰＨｈａｒｑｔｈを下回らないと判断された場合、システムはステップ４７０ｅに進み、そのＮＢＳを中間ＣｏＭＰセットに含み入れないと決定することができる。
【００８６】
再び図４Ｄを参照する。ステップ４７０の実行を完了し、中間ＣｏＭＰセットを決定した後、システムは次いでステップ４７２の実行に移り、中間ＣｏＭＰセットを対象ＵＥと関連付けることができる。
【００８７】
再び図４Ａを参照する。ステップ４６２の実行を完了し、ＣｏＭＰセット（例えば、中間ＣｏＭＰセット）を決定した後、システムは次いでステップ４８２の実行に移り、決定されたＣｏＭＰセットを検証することができる。
【００８８】
幾つかの実施例では、ステップ４８２における、決定されたＣｏＭＰセットの検証は、その決定されたＣｏＭＰセットに含まれる特定のＮＢＳにおいて利用可能なリソース、そのＮＢＳに関連付けられたセルの無線リンク障害、重複セルＩＤ等のパラメータのうち、少なくとも幾つかに基づいて行うことができる。システムは、特定のＮＢＳについては、これらのパラメータに基づいてスループット収率（Ｔｈｙｌｄ）を、決定されたＣｏＭＰセットにリストされた全てのＮＢＳについては、スループット合計（Ｔｈｙｔｏｔ）を計算することができる。スループット合計が特定のＵＥにおける所望スループット（Ｔｈｄｅｓｒ）と等しい場合、システムは、その特定のＮＢＳを、決定されたＣｏＭＰセットに保持すべきだと判断することができる。その一方で、スループット合計が所望スループットと等しくない場合、システムは、デフォルトＣｏＭＰセット（ステップ４１２で決定されたもの）を、その特定の対象ＵＥと関連付けるべきだと判断することができる。決定されたＣｏＭＰセットを検証及び更新して、最終ＣｏＭＰセットを形成した後、システムは、その最終ＣｏＭＰセットを管理アプリケーション２３２に伝送して、基地局を構成することができる。
【００８９】
幾つかの実施例において、この検証は周期的に実行されるか、上で論じたＣｏＭＰセット検証タイマ情報に基づいてトリガされる。その結果、ＣｏＭＰセットを、ＵＥの位置の変化を反映するように更新することができる。
【００９０】
ステップ４８２の実行を完了した後、システムは次いでステップ４９２の実行に移り、ステップ４１０で決定されたＣｏＭＰ地域を調節することができる。上で論じたように、ＣｏＭＰ地域は、隣接セル間の重複カバレッジ・エリア（例えば、図１の重複カバレッジ・エリア１０４ｃ）を表すことができる。ステップ４９２において、システムは、ステップ４８２からとなる同一の最終ＣｏＭＰセットに関連付けられているＵＥの数に基づいて、ＣｏＭＰ地域を調節することができる。ＣｏＭＰ地域をＣｏＭＰセットと関連付けることにより、新たなＵＥが定義済みのＣｏＭＰ地域に入ったとき、その新たなＵＥを、定義済みの当該ＣｏＭＰ地域に関連付けられたＣｏＭＰセットと、関連付けることができる。結果として、新たなＵＥのためのＣｏＭＰセットの決定を、より効率的に行うことができる。
【００９１】
幾つかの実施例では、システムはまず、同一の最終ＣｏＭＰセットに関連付けられたＵＥのリストを決定することができる。次いで、システムは、そのＵＥのリストの各々についての位置情報を記録することができる。その位置情報は、以下のいずれか１つとすることができる。ＣｏＭＰ地域の調節は、図４Ｃのステップ４３０〜４３８で求められた、絶対位置、相対位置、及び近接位置に基づくものとすることができる。次いで、ＣｏＭＰ地域を、ＵＥの位置情報を反映するエリアを含むように更新することができる。
【００９２】
コンピュータ・システム
図５は、本開示に沿った実施例を実装するための、例示的コンピュータ・システムのブロック図である。本明細書に開示されるデバイス及びシステムを実装するために、コンピュータ・システム５０１の変形形態が使用されてもよい。コンピュータ・システム５０１には、中央処理ユニット（「ＣＰＵ」又は「プロセッサ」）５０２を含んでよい。プロセッサ５０２には、ユーザ又はシステムが生成した要求を実行するための、プログラム・コンポーネントを実行するために、少なくとも１つのデータ・プロセッサを含んでよい。ユーザには、人物、本開示に含まれるようなデバイスを使用する人物、又はそのようなデバイス自体を含んでよい。プロセッサには、一体化されたシステム（バス）コントローラ、メモリ管理制御ユニット、浮動小数点ユニット、グラフィック処理ユニット、デジタル信号処理ユニット等、専用の処理ユニットを含んでよい。プロセッサには、ＡＭＤ  Ａｔｈｌｏｎ、Ｄｕｒｏｎ若しくはＯｐｔｅｒｏｎ、ＡＲＭのアプリケーション、埋込型若しくはセキュア・プロセッサ、ＩＢＭ  ＰｏｗｅｒＰＣ、ＩｎｔｅｌのＣｏｒｅ、Ｉｔａｎｉｕｍ、Ｘｅｏｎ、Ｃｅｌｅｒｏｎ、又はその他のプロセッサのラインナップ等のマイクロプロセッサを含んでよい。プロセッサ５０２は、メインフレーム、分散型プロセッサ、マルチコア、並列、グリッド、又はその他のアーキテクチャを使用して実装され得る。幾つかの実施例は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、デジタル信号プロセッサ（ＤＳＰ：ｄｉｇｉｔａｌ  ｓｉｇｎａｌ  ｐｒｏｃｅｓｓｏｒ）、フィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙ）等のような、埋込型技術を利用し得る。
【００９３】
プロセッサ５０２は、入出力（Ｉ／Ｏ：ｉｎｐｕｔ／ｏｕｔｐｕｔ）インタフェース５０３を介して、１つ又は複数のＩ／Ｏデバイスと通信状態で配置されてよい。Ｉ／Ｏインタフェース５０３は、限定するものではないが、オーディオ、アナログ、デジタル、モノラル、ＲＣＡ、ステレオ、ＩＥＥＥ−１３９４、シリアル・バス、ユニバーサル・シリアル・バス（ＵＳＢ：ｕｎｉｖｅｒｓａｌ  ｓｅｒｉａｌ  ｂｕｓ）、赤外線、ＰＳ／２、ＢＮＣ、同軸、コンポーネント、複合、デジタル・ビジュアル・インタフェース（ＤＶＩ：ｄｉｇｉｔａｌ  ｖｉｓｕａｌ  ｉｎｔｅｒｆａｃｅ）、高精細度マルチメディア・インタフェース（ＨＤＭＩ（登録商標）：ｈｉｇｈ−ｄｅｆｉｎｉｔｉｏｎ  ｍｕｌｔｉｍｅｄｉａ  ｉｎｔｅｒｆａｃｅ）、ＲＦアンテナ、Ｓ−Ｖｉｄｅｏ、ＶＧＡ、ＩＥＥＥ８０２．１１ａ／ｂ／ｇ／ｎ／ｘ、Ｂｌｕｅｔｏｏｔｈ（登録商標）、セルラ（例えば、符号分割多元接続（ＣＤＭＡ：ｃｏｄｅ−ｄｉｖｉｓｉｏｎ  ｍｕｌｔｉｐｌｅ  ａｃｃｅｓｓ）、高速パケット・アクセス（ＨＳＰＡ＋：ｈｉｇｈ−ｓｐｅｅｄ  ｐａｃｋｅｔ  ａｃｃｅｓｓ）、モバイル通信向け全地球システム（ＧＳＭ（登録商標）：ｇｌｏｂａｌ  ｓｙｓｔｅｍ  ｆｏｒ  ｍｏｂｉｌｅ  ｃｏｍｍｕｎｉｃａｔｉｏｎｓ）、ロング・ターム・エボリューション（ＬＴＥ）、ＷｉＭａｘ等）等の通信プロトコル／方法を採用し得る。
【００９４】
Ｉ／Ｏインタフェース５０３を使用することにより、コンピュータ・システム５０１は、１つ又は複数のＩ／Ｏデバイスと通信し得る。例えば、入力デバイス５０４は、アンテナ、キーボード、マウス、ジョイスティック、（赤外線）リモコン、カメラ、カード・リーダ、ファックス、ドングル、バイオメトリック・リーダ、マイク、タッチ・スクリーン、タッチパッド、トラックボール、センサ（例えば、加速度計、光センサ、ＧＰＳ、ジャイロスコープ、近接センサ等）、スタイラス、スキャナ、ストレージ・デバイス、トランシーバ、ビデオ・デバイス／ソース、バイザ等であってよい。出力デバイス５０５は、プリンタ、ファックス、ビデオ・ディスプレイ（例えば、ブラウン管（ＣＲＴ：ｃａｔｈｏｄｅ  ｒａｙ  ｔｕｂｅ）、液晶ディスプレイ（ＬＣＤ：ｌｉｑｕｉｄ  ｃｒｙｓｔａｌ  ｄｉｓｐｌａｙ）、発光ダイオード（ＬＥＤ：ｌｉｇｈｔ−ｅｍｉｔｔｉｎｇ  ｄｉｏｄｅ）、プラズマ等）、オーディオ・スピーカ等であってよい。幾つかの実施例では、トランシーバ５０６は、プロセッサ５０２と接続状態で配置されてよい。トランシーバは、様々なタイプのワイヤレス送信又は受信を容易にし得る。例えば、トランシーバには、ＩＥＥＥ８０２．１１ａ／ｂ／ｇ／ｎ、Ｂｌｕｅｔｏｏｔｈ、ＦＭ、全地球測位システム（ＧＰＳ：ｇｌｏｂａｌ  ｐｏｓｉｔｉｏｎｉｎｇ  ｓｙｓｔｅｍ）、２Ｇ／３Ｇ  ＨＳＤＰＡ／ＨＳＵＰＡ通信等を提供する、トランシーバ・チップ（例えば、Ｔｅｘａｓ  Ｉｎｓｔｒｕｍｅｎｔｓ  ＷｉＬｉｎｋ  ＷＬ１２８３、Ｂｒｏａｄｃｏｍ  ＢＣＭ４７５０ＩＵＢ８、Ｉｎｆｉｎｅｏｎ  Ｔｅｃｈｎｏｌｏｇｉｅｓ  Ｘ−Ｇｏｌｄ  ６１８−ＰＭＢ９８００等）に動作可能に接続されたアンテナを含んでよい。
【００９５】
幾つかの実施例では、プロセッサ５０２は、ネットワーク・インタフェース５０７を介して、通信ネットワーク５０８と通信状態で配置されてよい。ネットワーク・インタフェース５０７は、通信ネットワーク５０８と通信してもよい。ネットワーク・インタフェースは、限定するものではないが、直接接続、イーサネット（登録商標）（例えば、ツイスト・ペア１０／１００／１０００Ｂａｓｅ  Ｔ）、伝送制御プロトコル／インターネット・プロトコル（ＴＣＰ／ＩＰ：ｔｒａｎｓｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）、トークン・リング、ＩＥＥＥ８０２．１１ａ／ｂ／ｇ／ｎ／ｘ等を含む、接続プロトコルを採用し得る。通信ネットワーク５０８には、限定するものではないが、直接相互接続、ローカル・エリア・ネットワーク（ＬＡＮ：ｌｏｃａｌ  ａｒｅａ  ｎｅｔｗｏｒｋ）、ワイド・エリア・ネットワーク（ＷＡＮ：ｗｉｄｅ  ａｒｅａ  ｎｅｔｗｏｒｋ）、ワイヤレス・ネットワーク（例えば、ワイヤレス・アプリケーション・プロトコルを使用）、インターネット等を含んでよい。ネットワーク・インタフェース５０７及び通信ネットワーク５０８を使用することにより、コンピュータ・システム５０１は、デバイス５０９、５１０、及び５１１と通信し得る。これらのデバイスには、限定するものではないが、パーソナル・コンピュータ、サーバ、ファックス、プリンタ、スキャナ、携帯電話やスマートフォン（例えば、Ａｐｐｌｅ  ｉＰｈｏｎｅ（登録商標）、Ｂｌａｃｋｂｅｒｒｙ、Ａｎｄｒｏｉｄベースの電話等）といった様々なモバイル・デバイス、タブレット・コンピュータ、ｅＢｏｏｋリーダ（Ａｍａｚｏｎ  Ｋｉｎｄｌｅ、Ｎｏｏｋ等）、ラップトップ・コンピュータ、ノートブック、ゲーム・コンソール（Ｍｉｃｒｏｓｏｆｔ  Ｘｂｏｘ、Ｎｉｎｔｅｎｄｏ  ＤＳ、Ｓｏｎｙ  ＰｌａｙＳｔａｔｉｏｎ等）等を含んでよい。幾つかの実施例では、コンピュータ・システム５０１は、それ自体が、これらのデバイスのうちの１つ又は複数を体現してもよい。
【００９６】
幾つかの実施例では、プロセッサ５０２は、ストレージ・インタフェース５１２を介して、１つ又は複数のメモリ・デバイス（例えば、ＲＡＭ５１３、ＲＯＭ５１４等）と通信状態で配置されてよい。ストレージ・インタフェースは、限定するものではないが、シリアルＡＴＡ（ＳＡＴＡ：ｓｅｒｉａｌ  ａｄｖａｎｃｅｄ  ｔｅｃｈｎｏｌｏｇｙ  ａｔｔａｃｈｍｅｎｔ）、統合ドライブ・エレクトロニクス（ＩＤＥ：ｉｎｔｅｇｒａｔｅｄ  ｄｒｉｖｅ  ｅｌｅｃｔｒｏｎｉｃｓ）、ＩＥＥＥ−１３９４、ユニバーサル・シリアル・バス（ＵＳＢ）、ファイバ・チャネル、小型コンピュータ・システム・インタフェース（ＳＣＳＩ：ｓｍａｌｌ  ｃｏｍｐｕｔｅｒ  ｓｙｓｔｅｍｓ  ｉｎｔｅｒｆａｃｅ）等の接続プロトコルを採用する、メモリ・ドライブ、リムーバブル・ディスク・ドライブのようなメモリ・デバイスに接続し得る。メモリ・ドライブには更に、ドラム、磁気ディスク・ドライブ、光磁気ドライブ、光学ドライブ、個別ディスクからなる冗長アレイ（ＲＡＩＤ：ｒｅｄｕｎｄａｎｔ  ａｒｒａｙ  ｏｆ  ｉｎｄｅｐｅｎｄｅｎｔ  ｄｉｓｃｓ）、固体メモリ・デバイス、固体ドライブ等を含んでよい。例えば、本明細書に開示されるデータベースを実装するために、様々なメモリ・デバイスが使用されてよい。
【００９７】
メモリ・デバイスは、限定するものではないが、オペレーティング・システム５１６、ユーザ・インタフェース・アプリケーション５１７、ウェブ・ブラウザ５１８、メール・サーバ５１９、メール・クライアント５２０、ユーザ／アプリケーション・データ５２１（例えば、本開示で論じられる任意のデータ変数又はデータ記録）等を含む、プログラムのコレクションやデータベース・コンポーネントを記憶してよい。オペレーティング・システム５１６は、コンピュータ・システム５０１のリソース管理及び動作を容易にし得る。オペレーティング・システムの例としては、限定するものではないが、Ａｐｐｌｅ  Ｍａｃｉｎｔｏｓｈ  ＯＳ  Ｘ、Ｕｎｉｘ（登録商標）、Ｕｎｉｘ（登録商標）系システムのディストリビューション（例えば、Ｂｅｒｋｅｌｅｙ  Ｓｏｆｔｗａｒｅ  Ｄｉｓｔｒｉｂｕｔｉｏｎ（ＢＳＤ）、ＦｒｅｅＢＳＤ、ＮｅｔＢＳＤ、ＯｐｅｎＢＳＤ等）、Ｌｉｎｕｘ（登録商標）のディストリビューション（例えば、Ｒｅｄ  Ｈａｔ、Ｕｂｕｎｔｕ、Ｋｕｂｕｎｔｕ等）、ＩＢＭ  ＯＳ／２、Ｍｉｃｒｏｓｏｆｔ  Ｗｉｎｄｏｗｓ（登録商標）（ＸＰ、Ｖｉｓｔａ／７／８等）、Ａｐｐｌｅ  ｉＯＳ、Ｇｏｏｇｌｅ  Ａｎｄｒｏｉｄ、Ｂｌａｃｋｂｅｒｒｙ  ＯＳ等が挙げられる。ユーザ・インタフェース５１７は、プログラム・コンポーネントの表示、実行、対話、操作、又は動作を、テキスト又はグラフィック・ファシリティを通じて容易にし得る。例えば、ユーザ・インタフェースは、コンピュータ・システム５０１に動作可能に接続されたディスプレイ・システム上に、コンピュータ対話インタフェース要素（カーソル、アイコン、チェック・ボックス、メニュー、スクロールバー、ウインドウ、ウィジェット等）を提供してよい。限定するものではないが、Ａｐｐｌｅ  Ｍａｃｉｎｔｏｓｈオペレーティング・システムのＡｑｕａ、ＩＢＭ  ＯＳ／２、Ｍｉｃｒｏｓｏｆｔ  Ｗｉｎｄｏｗｓ（登録商標）（例えば、Ａｅｒｏ、Ｍｅｔｒｏ等）、Ｕｎｉｘ（登録商標）  Ｘ−Ｗｉｎｄｏｗｓ（登録商標）、ウェブ・インタフェースのライブラリ（例えば、ＡｃｔｉｖｅＸ、Ｊａｖａ（登録商標）、ＪａｖａＳｃｒｉｐｔ（登録商標）、ＡＪＡＸ、ＨＴＭＬ、Ａｄｏｂｅ  Ｆｌａｓｈ等）等を含む、グラフィカル・ユーザ・インタフェース（ＧＵＩ：ｇｒａｐｈｉｃａｌ  ｕｓｅｒ  ｉｎｔｅｒｆａｃｅ）が採用されてもよい。
【００９８】
幾つかの実施例では、コンピュータ・システム５０１は、ウェブ・ブラウザ５１８を記憶したプログラム・コンポーネントを実装してもよい。ウェブ・ブラウザは、Ｍｉｃｒｏｓｏｆｔ  Ｉｎｔｅｒｎｅｔ  Ｅｘｐｌｏｒｅｒ、Ｇｏｏｇｌｅ  Ｃｈｒｏｍｅ、Ｍｏｚｉｌｌａ  Ｆｉｒｅｆｏｘ、Ａｐｐｌｅ  Ｓａｆａｒｉ等のハイパーテキスト閲覧アプリケーションであってよい。ＨＴＴＰＳ（ｓｅｃｕｒｅ  ｈｙｐｅｒｔｅｘｔ  ｔｒａｎｓｐｏｒｔ  ｐｒｏｔｏｃｏｌ）、セキュア・ソケット・レイヤ（ＳＳＬ：ｓｅｃｕｒｅ  ｓｏｃｋｅｔｓ  ｌａｙｅｒ）、Ｔｒａｎｓｐｏｒｔ  Ｌａｙｅｒ  Ｓｅｃｕｒｉｔｙ（ＴＬＳ）等を使用することにより、セキュアなウェブ閲覧が提供され得る。ウェブ・ブラウザは、ＡＪＡＸ、ＤＨＴＭＬ、Ａｄｏｂｅ  Ｆｌａｓｈ、ＪａｖａＳｃｒｉｐｔ、Ｊａｖａ（登録商標）、アプリケーション・プログラミング・インタフェース（ＡＰＩ：ａｐｐｌｉｃａｔｉｏｎ  ｐｒｏｇｒａｍｍｉｎｇ  ｉｎｔｅｒｆａｃｅ）等のファシリティを利用し得る。幾つかの実施例では、コンピュータ・システム５０１は、メール・サーバ５１９を記憶したプログラム・コンポーネントを実装してもよい。メール・サーバは、Ｍｉｃｒｏｓｏｆｔ  Ｅｘｃｈａｎｇｅ等のインターネット・メール・サーバであってよい。メール・サーバは、ＡＳＰ、ＡｃｔｉｖｅＸ、ＡＮＳＩ  Ｃ＋＋／Ｃ＃、Ｍｉｃｒｏｓｏｆｔ  ．ＮＥＴ、ＣＧＩスクリプト、Ｊａｖａ（登録商標）、ＪａｖａＳｃｒｉｐｔ、ＰＥＲＬ、ＰＨＰ、Ｐｙｔｈｏｎ、ＷｅｂＯｂｊｅｃｔｓ等のファシリティを利用し得る。メール・サーバは、インターネット・メッセージ・アクセス・プロトコル（ＩＭＡＰ：ｉｎｔｅｒｎｅｔ  ｍｅｓｓａｇｅ  ａｃｃｅｓｓ  ｐｒｏｔｏｃｏｌ）、メッセージング・アプリケーション・プログラミング・インタフェース（ＭＡＰＩ：ｍｅｓｓａｇｉｎｇ  ａｐｐｌｉｃａｔｉｏｎ  ｐｒｏｇｒａｍｍｉｎｇ  ｉｎｔｅｒｆａｃｅ）、Ｍｉｃｒｏｓｏｆｔ  Ｅｘｃｈａｎｇｅ、ポスト・オフィス・プロトコル（ＰＯＰ：ｐｏｓｔ  ｏｆｆｉｃｅ  ｐｒｏｔｏｃｏｌ）、簡易メール転送プロトコル（ＳＭＴＰ：ｓｉｍｐｌｅ  ｍａｉｌ  ｔｒａｎｓｆｅｒ  ｐｒｏｔｏｃｏｌ）等の通信プロトコルを利用し得る。幾つかの実施例では、コンピュータ・システム５０１は、メール・クライアント５２０を記憶したプログラム・コンポーネントを実装してもよい。メール・クライアントは、Ａｐｐｌｅ  Ｍａｉｌ、Ｍｉｃｒｏｓｏｆｔ  Ｅｎｔｏｕｒａｇｅ、Ｍｉｃｒｏｓｏｆｔ  Ｏｕｔｌｏｏｋ、Ｍｏｚｉｌｌａ  Ｔｈｕｎｄｅｒｂｉｒｄ等のメール閲覧アプリケーションであってよい。
【００９９】
幾つかの実施例では、コンピュータ・システム５０１は、本開示において説明される、データ、変数、記録等のユーザ／アプリケーション・データ５２１を記憶してもよい。そのようなデータベースは、ＯｒａｃｌｅやＳｙｂａｓｅ等の、フォールト・トレラント、リレーショナル、スケーラブル、セキュアなデータベースとして実装されてよい。或いは、そのようなデータベースが、アレイ、ハッシュ、リンク・リスト、構造体、構造化テキスト・ファイル（例えば、ＸＭＬ）、テーブル等の標準化されたデータ構造を使用して、又はオブジェクト指向データベース（例えば、ＯｂｊｅｃｔＳｔｏｒｅ、Ｐｏｅｔ、Ｚｏｐｅ等を使用）として、実装されてもよい。そのようなデータベースは、上で論じた本開示における様々なコンピュータ・システムの間で、時に統合され、又は分散されてよい。あらゆるコンピュータ又はデータベース・コンポーネントの構造及び動作は、稼働する組合せであれば、どのように組み合わされ、統合され、また分散されてもよいことを理解されたい。
【０１００】
本明細書は、ワイヤレス・ネットワークにおける改良された協調マルチポイント（ＣｏＭＰ）セット決定のための方法及びシステムを説明した。例示されたステップは、示された例示的実施例の説明のために記載されたものであり、進みゆく技術的発展が、特定の機能の実行様式を変化させるであろうことは見込まれるべきである。これらの実例は、例示を目的として本明細書に提示されたものであり、限定を目的としたものではない。更に、機能を構築する諸要素が持つ境界は、説明の便宜のため、本明細書では恣意的に定められている。それらが持つ指定の機能及び関係が適切に機能する限りにおいて、代替的境界を定めることも可能である。関連技術の当業者にとっては、本明細書に含まれる教示を基にした代替形態（本明細書で説明された要素の等価形態、拡張形態、変形形態、仕様変更形態等を含む）も明らかであろう。そのような代替形態は、開示された実施例の範囲及び趣旨の範囲内にある。また、「備える（ｃｏｍｐｒｉｓｉｎｇ）」、「有する（ｈａｖｉｎｇ）」、「含有する（ｃｏｎｔａｉｎｉｎｇ）」、及び「含む（ｉｎｃｌｕｄｉｎｇ）」、並びにその他類似の言葉は、その意味するところにおいて同義であり、また、これらの言葉のいずれか１つに続く項目が、かかる項目の総記を意味するものでも、列挙された項目のみに限定することを意味するものでもないという点において、オープン・エンドなものとなることが意図されている。本明細書及び添付の特許請求の範囲において使用される単数的表現「ａ」「ａｎ」及び「ｔｈｅ」は、その文脈において別段の明確な指示がない限り、複数物の参照も含んでいることにも留意されたい。
【０１０１】
更に、本開示に沿った実施例を実装する際に、１つ又は複数のコンピュータ可読記憶媒体が使用されてよい。コンピュータ可読記憶媒体とは、プロセッサによって読み取り可能な情報やデータを記憶可能な、あらゆるタイプの物理メモリのことを指す。よって、コンピュータ可読記憶媒体は、本明細書で説明された実施例に沿うステップ又はステージをプロセッサに実行させる命令も含めて、１つ又は複数のプロセッサが実行するための命令を記憶し得る。「コンピュータ可読媒体」という術語は、有形の品目を含み搬送波及び過渡信号は除外するもの、即ち、非一時的なものと理解されるべきである。例としては、ランダム・アクセス・メモリ（ＲＡＭ：ｒａｎｄｏｍ  ａｃｃｅｓｓ  ｍｅｍｏｒｙ）、リード・オンリ・メモリ（ＲＯＭ：ｒｅａｄ−ｏｎｌｙ  ｍｅｍｏｒｙ）、揮発性メモリ、不揮発性メモリ、ハード・ドライブ、ＣＤ  ＲＯＭ、ＤＶＤ、フラッシュ・デバイス、ディスク、及びその他あらゆる既知の物理的記憶媒体が挙げられる。
【０１０２】
本開示及び実例が単なる例示と見なされ、開示された実施例の真の範囲及び趣旨は、続く特許請求の範囲によって示されることが意図される。
【図１】
2017103740.tif 000003
【図２】
2017103740.tif 000004
【図３】
2017103740.tif 000005
【図４Ａ】
2017103740.tif 000006
【図４Ｂ】
2017103740.tif 000007
【図４Ｃ】
2017103740.tif 000008
【図４Ｄ】
2017103740.tif 000009
【図４Ｅ】
2017103740.tif 000010
【図５】
2017103740.tif 000011
【外国語明細書】
2017103740000001.pdf